(57)【要約】【課題】緊急時の照明機能を有するとともに、差込口を占用しない誘導灯付ソケットを提供すること。【解決手段】ソケット本体、回路基板、少なくとも一つの発光ダイオード、少なくとも一つのソケット、カバー及び蓄電ユニットを備え、ソケット本体内には回路基板、蓄電ユニット、少なくとも一つの発光ダイオード及び少なくとも一つのソケットが設けられ、蓄電ユニットは回路基板に電気的に接続され、カバーがソケット本体に結合され、カバーにはソケット数に対応して設けられた開口に少なくとも一つのソケットを露出させた。【選択図】図２
0003138133.tif 000002
【実用新案登録請求の範囲】
【請求項１】
内部には収容空間が設けられたソケット本体と、
前記ソケット本体の内部に設けられ、少なくとも一つの発光ダイオードが電気的に接続され、電源に電気的に接続された回路基板と、
前記ソケット本体の内部に設けられかつ電源に電気的に接続された少なくとも一つのソケットと、
前記ソケット本体とは互いに活動的に結合され、前記カバーには少なくとも一つのソケットに対応して対応数量の開口が設けられたカバーと、
前記ソケット本体の内部に設けられ、前記回路基板に電気的に接続され、前記回路基板を介して電源に電気的に接続され電気回路を形成する蓄電ユニットと、を含むことを特徴とする、
誘導灯付ソケット構造。
【請求項２】
前記ソケット本体内にはさらに定位板が設けられ、前記定位板は該カバーとソケット本体との間に位置され、前記定位板上にはソケットの数に対応する開口及び貫通孔が設けられ、前記貫通孔は少なくとも一つの発光ダイオードに対応して設けられ、前記ソケットの数に対応する開口が、少なくとも一つのソケット及びカバーに設けられたソケットの数に対応する開口とは、互いに対応して配合し、前記少なくとも一つのソケットを位置決め、及び前記カバーに前記少なくとも一つのソケットを露出させ、前記カバーは透光ケースで、前記少なくとも一つの発光ダイオードの光源を透過させることを特徴とする、請求項１に記載の誘導灯付ソケット構造。
【請求項３】
前記カバーは透光ケースであることを特徴とする、請求項１に記載の誘導灯付ソケット構造。
【請求項４】
前記カバーには貫通孔が設けられ、前記貫通孔は透光カバーを対応して設け、少なくとも一つの発光ダイオードの光源を透過させることを特徴とする、請求項１に記載の誘導灯付ソケット構造。
【請求項５】
前記カバーには貫通孔が設けられ、前記貫通孔は透光カバーを対応して設け、前記カバー上の貫通孔が定位板の貫通孔とは互いに対応して配合し、少なくとも一つの発光ダイオードの光源を透過させることを特徴とする、請求項２に記載の誘導灯付ソケット構造。
【請求項６】
前記蓄電ユニットは、充電電池であることを特徴とする、請求項１に記載の誘導灯付ソケット構造。
【請求項７】
前記蓄電ユニットは、バッテリーであることを特徴とする、請求項１に記載の誘導灯付ソケット構造。
【考案の詳細な説明】
【技術分野】
【０００１】
本考案は、誘導灯付ソケット構造に係わり、特に、ソケット本体、回路基板、少なくとも一つの発光ダイオード、少なくとも一つのソケット、カバー及び蓄電ユニットを備える組合設計により、停電の際に緊急照明ができて、かつ電源ソケットを占用しない効果を有し、ソケットまたは類似構造に適応できる誘導灯付ソケット構造に関するものである。
【背景技術】
【０００２】
一般に階段口または部屋の壁面に設けられる誘導灯のランプ構造は、台座内にバッテリーを装備している。該バッテリーは電力が供給されている時に充電し、停電の際にランプの電力源として活用する。
【０００３】
前記した誘導灯にあっては、誘導灯を壁面に設置するときに、その電源線を電源ソケット（コンセント）を探して差し込む必要がある。
特に、階段に装着された時に、電源ソケットを探すことが大変面倒である。
さらに従来の誘導灯は伝統な電球を使用している。伝統な電球は、発光ダイオードと比べて消費電力が大きく、かつ使用寿命が短い。
また、従来の誘導灯は、常備状態の時に（充電する状態）、電源ソケットに差し込む必要があるため、一つの電源ソケットのひとつの電源口を占用して使用可能な電源口が減るため、他の電気設備を使用するにあたり不便である。
【考案の開示】
【考案が解決しようとする課題】
【０００４】
本考案は以上の点に鑑みて成されたもので、緊急照明の機能を有する外、電源ソケットを占用しない誘導灯付ソケットを提供するものである。
【０００５】
本考案の主な目的は、ソケット本体、回路基板、少なくとも一つの発光ダイオード、少なくとも一つのソケット、カバー及び蓄電ユニットを備える組合設計により、該ソケット本体及びカバーからなるソケット構造の収容空間内には、蓄電ユニット、回路基板、少なくとも一つの発光ダイオード及び少なくとも一つのソケットが設けられ、該回路基板は少なくとも一つの発光ダイオードに電気的に接続され、該回路基板は電源に電気的に接続され、該蓄電ユニットは回路基板に電気的に接続され、且つ該回路基板を介して電源に電気的に接続され電気回路を形成し、少なくとも一つの発光ダイオードが電源が供給されない時に緊急照明用のランプとして使用し、且つ電源ソケットの位置を占用する不便を無くし、使用上により好ましい便利性を有し、全体の実用性を向上させる誘導灯付ソケット構造を提供することにある。
【課題を解決するための手段】
【０００６】
前記目的を達成すため、本考案は、ソケット本体、回路基板、少なくとも一つの発光ダイオード、少なくとも一つのソケット、カバー及び蓄電ユニットを備える。該ソケット本体内は収容空間を設置し、該回路基板は該ソケット本体の内部に設けられ、該回路基板には少なくとも一つの発光ダイオードが電気的に接続され、該回路基板は電源に電気的に接続され、少なくとも一つのソケットは該ソケット本体の内部に設けられ、該少なくとも一つのソケットは電源に電気的に接続され、該カバーがソケット本体とは互いに活動的に結合され、該カバーには少なくとも一つのソケットに対応して対応数量の開口が設けられ、該蓄電ユニットは該ソケット本体の内部に設けられ、該回路基板に電気的に接続され、かつ該蓄電ユニットは該回路基板を介して電源に電気的に接続され電気回路を形成することによって、誘導灯付ソケット構造を形成し、全体の実用性及び便利性を向上させる。
【考案の効果】
【０００７】
本考案はソケット内部に蓄電手段を装備した発光ダイオードを組み込んである。
そのため、通常は蓄電ユニットに十分に充電させておき、停電の際に、蓄電ユニットから少なくとも一つの発光ダイオードに電力を供給して発光させるので誘導灯付ソケットを誘導灯として兼用することができる。
さらにソケットに蓄電手段を装備した発光ダイオードを内蔵しているので、別途の独立した単体の誘導灯が不要となるだけでなく、ソケット（差込口）を占用せずに済むので、使用上の便利性及び実用性を大幅に向上させることが可能となる。
【考案を実施するための最良の形態】
【０００８】
以下に図面を参照しながら本考案の実施の形態について説明する。
図１〜図３を参照すると、本考案に係る誘導灯付ソケット構造は、ソケット本体１０、回路基板２０、少なくとも一つのソケット４０、カバー５０及び蓄電ユニット６０を備える。
【０００９】
該ソケット本体１０内は収容空間を設置する。
【００１０】
該回路基板２０は、該ソケット本体１０の内部に設けられる。
該回路基板２０には少なくとも一つの発光ダイオード３０が電気的に接続される。
該回路基板２０は電源７０に電気的に接続される。
該回路基板２０には電源回路及び制御回路が設けられ、電力変換、蓄電及び電力供給などの制御が可能である（本実施例では、少なくとも一つの発光ダイオード３０は該回路基板２０に設けられ、かつ、回路基板２０に電気的に接続され、実際に使用する際に、該少なくとも一つの発光ダイオード３０は、配置要求に応じて該ソケット本体１０の収容空間内のあらゆるところに設けられ、該回路基板２０に電気的に接続されることができる）。
【００１１】
少なくとも一つのソケット４０は、該ソケット本体１０の内部に設けられる。
該少なくとも一つのソケット４０は電源７０に電気的に接続される（本実施例では、該ソケット本体１０内に二つのソケット４０が設けられ、実際に使用する際に、該少なくとも一つのソケット４０は、配置要求に応じて該ソケット本体１０の収容空間内のあらゆるところに設けられ、電源７０に電気的に接続されることができる）。
【００１２】
該カバー５０がソケット本体１０とは互いに活動的に結合される。
該カバー５０には少なくとも一つのソケット４０に対応して対応数量の開口５１が設けられる。
該ソケット本体１０内にさらに定位板１１が設けられる（該定位板１１は、実際使用する際に設けなくても良く、この時に、該カバー５０は透光ケースで、該少なくとも一つの発光ダイオード３０の光源を透過させ）。
該定位板１１は該カバー５０とソケット本体１０との間に位置される。
該定位板１１上にはソケット４０の数に対応する開口１１１が設けられる。
ソケット４０の数に対応して定位板１１に形成される開口１１１の数と、ソケット４０の数に対応してカバー５０に形成される開口５１の数は、互いに対応して等しい。
そして、該カバー５０に少なくとも一つのソケット４０を位置決めして露出させる（本実施例では、該定位板１１にはソケット本体１０内に設けられた二つのソケット４０に対応して二つの開口１１１が設けられ、該カバー５０にも二つのソケット４０に対応して二つの開口５１が設けられている）。
また、該定位板１１上に一つの貫通孔１１２が別に設けられる。
該貫通孔１１２は少なくとも一つの発光ダイオード３０に対応して形成される。
該カバー５０は透光ケースで、少なくとも一つの発光ダイオード３０の光源を透過させ、或いは、該カバー５０は非透光材である。
該カバー５０には貫通孔５２が設けられる。該貫通孔５２は該定位板１１の貫通孔１１２及び発光ダイオード３０の光源転送方向に対応している。
該貫通孔５２には透光カバー５３が設けられ、少なくとも一つの発光ダイオード３０の光源を透過させることができる。
【００１３】
該蓄電ユニッ６０は、該ソケット本体１０の内部に設けられる。
該蓄電ユニット６０は、充電電池またはバッテリーなどであればよい。
該蓄電ユニット６０は回路基板２０に電気的に接続する（図２及び図３に示す実施例では、該蓄電ユニット６０は該回路基板２０の下方に設けられ、実際使用する時に、配置要求に応じて該ソケット本体１０の収容空間のあらゆる所に設けられる）。
該蓄電ユニット６０は、該回路基板２０を介して電源７０に電気的に接続されていて電気回路を形成する。
【００１４】
該回路基板２０は、二つのソケット４０の間に設けられる（実際使用する際に、該回路基板２０は、配置要求に応じて該ソケット本体１０の収容空間内のあらゆるところに設けられることができる）。
該ソケット本体１０上には開口１０１が設けられる。
該回路基板２０及び少なくとも一つのソケット４０を電源７０に電気的に接続させる。
また、本実施例では、該定位板１１の両端には結合孔１１３がそれぞれ設けられる。
該ソケット本体１０の両端には結合部１０２がそれぞれ設けられる。
各結合部１０２には結合孔を設ける。
該ソケット本体１０内の両端の結合部１０２の結合孔は、該定位板１１の二つの結合孔１１３にそれぞれ合わせる。
該定位板１１の結合孔１１３内にボルトを通過させた後に、該ソケット本体１０内の結合部１０２の結合孔内に挿入して固定結合させる。
以上のようにして誘導灯付ソケットを形成する。
【００１５】
図１〜図４を参照すると、本考案に係る誘導灯付ソケット構造の特徴は、ソケット本体１０、回路基板２０、少なくとも一つの発光ダイオード３０、少なくとも一つのソケット４０、カバー５０及び蓄電ユニット６０を備えた構成により、室内の壁上の配電ソケットの設置位置に設けられる。
該回路基板２０が少なくとも一つの発光ダイオード３０及び蓄電ユニット６０に電気的に接続されることにより、該回路基板２０が電源７０に電気的に接続され、該蓄電ユニット６０が回路基板２０を介して電源７０に電気的に接続され電気回路を形成する。
蓄電ユニット６０は通常に電源７０が供給される時に十分に充電を済ませていて、停電の際に、蓄電ユニット６０から少なくとも一つの発光ダイオード３０に電力を供給することによって、発光ダイオード３０を発光させて誘導灯として利用することができる。
本考案はソケット内部に蓄電手段を装備した発光ダイオード３０を組み込んであるので、別途の独立した単体の誘導灯が不要となるだけでなく、ソケット４０を占用せずに済むので、他の各種の電気設備からのびるプラグを開放されたソケット４０（例えば、壁上のソケット）に差し込んで使用できるので、使用上の便利性及び実用性を大幅に向上させることが可能となる。
【００１６】
既述した説明は本考案の好ましい実施例の説明に過ぎず、本考案はこれらの記載に制限されるものではなく、当該分野における通常の知識を有する専門家が本考案の分野の中で、適当に変換や修飾などを実施できる事項も本考案に含まれるべきことは言うまでもないことである。
【図面の簡単な説明】
【００１７】
【図１】本考案に係る実施例の斜視外観図である。
【図２】本考案に係る実施例の素子分解図である。
【図３】本考案に係る実施例の結合を示す断面図である。
【図４】本考案に係る実施例の使用を示す図である。
【符号の説明】
【００１８】
１０・・・・・・ソケット本体
１０１・・・・・開口
１０２・・・・・結合部
１１・・・・・・定位部
１１１・・・・・開口
１１２・・・・・貫通孔
１１３・・・・・結合部
２０・・・・・・回路基板
３０・・・・・・発光ダイオード
４０・・・・・・ソケット
５０・・・・・・カバー
５１・・・・・・カバー
５２・・・・・・貫通孔
５３・・・・・・透光カバー
６０・・・・・・蓄電ユニット
７０・・・・・・電源
【図１】
0003138133.tif 000003
【図２】
0003138133.tif 000004
【図３】
0003138133.tif 000005
【図４】
0003138133.tif 000006